(57)【要約】【課題】レンズ孔の位置ずれによるレンズとレンズ部品とのガタツキを極めて簡単に補修して調整することができる、縁なし眼鏡の補修方法を提供する。【解決手段】レンズ孔１４が、所定の位置よりも智１８側寄りに偏倚して、レンズ孔１４が位置ずれした場合、位置ずれしたレンズ孔１４の偏倚量に応じて、縁当て片２６の当接面２６ａの少なくとも一部、および／または、縁当て片２６と対向するレンズ１２の周縁端面の少なくとも一部に、透明な合成樹脂を塗布して透明な合成樹脂層３２を形成する工程を含むことを特徴とする、縁なし眼鏡の補修方法である。【選択図】      図３
2004317824.tif 000002
【特許請求の範囲】
【請求項１】
レンズ、
前記レンズの周縁部近傍に配設され、前記レンズを貫通するレンズ孔、
前記レンズ孔と連通可能な取付孔を有し、前記レンズと智および／またはブリッジとを固定するためのレンズ止め部、
前記レンズの周縁端面と対向する当接面を有し、その一端部が前記レンズ止め部と連接され、その他端部が前記智および／またはブリッジに連接される縁当て片、および
前記レンズのレンズ孔および前記レンズ止め部の取付孔に装着され、前記レンズ止め部と協働して、前記レンズと前記智および／またはブリッジとを固定するレンズ止めねじを含み、
前記レンズ孔が、所定の位置よりも前記智および／またはブリッジ寄りに偏倚して、前記レンズ孔が位置ずれしたときの縁なし眼鏡の補修方法であって、
位置ずれした前記レンズ孔の偏倚量に応じて、前記縁当て片の当接面の少なくとも一部、および／または、前記縁当て片と対向する前記レンズの周縁端面の少なくとも一部に、透明な合成樹脂を塗布して透明な合成樹脂層を形成する工程を含むことを特徴とする、縁なし眼鏡の補修方法。
【発明の詳細な説明】
【０００１】
【発明の属する技術分野】
本願発明は、縁なし眼鏡の補修方法に関し、特に、レンズの周縁近傍に配設されたレンズ止め孔において、智およびブリッジ等のレンズ部品とレンズとをたとえばレンズ止めおよびレンズ止めねじにより連結・固定して組立てる際の縁なし眼鏡の補修方法に関する。
【０００２】
【従来の技術】
図４は、本願発明の背景となる縁なし眼鏡の一例を示す要部分解斜視図である。この縁なし眼鏡１は、図４中の二点鎖線で示すように、その周縁近傍に貫通孔２ａを有するレンズ２を含む。レンズ２の一方主面側には、テンプル３に連接された智４をレンズ２に固定するためのレンズ止め５が配置される。智４およびレンズ止め５間には、レンズ２の周縁端面に当接され、レンズ２のガタツキを防止する縁当て片６が配設される。レンズ止め５は、その先端部に取付孔５ａを有する。
この縁なし眼鏡１を組立てる際には、先ず、レンズ２の周縁端面に縁当て片６が当接される。次に、レンズ止め５の取付孔５ａとレンズ２の貫通孔２ａとが連通可能となるように、レンズ止め５がレンズ２の一方主面側に配置される。さらに、レンズ止め５側から、レンズ止めねじ７がレンズ止め５の取付孔５ａおよびレンズ２の貫通孔２ａに挿通される。そして、レンズ２の他方主面側からレンズ止めナット８がレンズ止めねじ７に螺合されることによって、レンズ２が固定される。
したがって、この縁なし眼鏡１では、縁当て片６をレンズ２の周縁端面に当接させたときに、レンズ止め５の取付孔５ａとレンズ２の貫通孔２ａとが連通するように、レンズ２の周縁端から貫通孔２ａまでの距離と、レンズ止め５をレンズ２の周縁端面に当接したときのレンズ２の周縁端からレンズ止め５の取付孔５ａまでの距離とが略同じになるようにすることが肝要となる。
つまり、レンズ２の貫通孔２ａの形成位置が、たとえば図４の実線の貫通孔９に示すように、レンズ２の周縁端側に偏倚してしまうと、縁当て片６をレンズ２の周縁端面に当接したときに、レンズ止め５の取付孔５ａとレンズ２の貫通孔２ａとが位置ずれが生じる。この場合、仮に、レンズ止め５の取付孔５ａとレンズ２の貫通孔２ａとを連通させてレンズ止め５をレンズ止めねじ７およびレンズ止めナット８で固定したとしても、レンズ２の周縁端と縁当て片６との間に隙間ができ、レンズ２にガタツキが生じるものとなる。したがって、所定の位置にレンズ２の貫通孔２ａが形成されない場合には、再度、レンズ２に貫通孔２ａを開け直す必要があり、結局、そのレンズ２は欠陥品となり、この縁なし眼鏡の組立てにおける製造ロスとなる。
そこで、このようなロスを削減するために、レンズ２の貫通孔２ａが正規の部位に形成されず位置ずれが生じた場合に、この位置ずれを補正する種々の方法が提案されている。
すなわち、従来の技術には、エンドピースと共にレンズ止着孔にネジ止めされるべき係止部分と、エンドピースを上下から支持すると同時に眼鏡レンズ側面に当接すべき当接部分とからサポート片を形成し、エンドピースとサポート片とを別個に形成したリムレス眼鏡におけるレンズ止着機構があった（例えば、特許文献１参照。）。このリムレス眼鏡では、サポート片の係止部分と当接部分との屈曲部、或いはこの当接部分において自由に曲げ調整することによって、眼鏡レンズに形成する止着孔の位置ずれを補正していた。
また、従来の技術には、エンドピースの端部に突起を設け、この突起に嵌合する嵌合溝を形成した、エンドピース部品とは独立別個なサポート片により、レンズ側面を支持しながらエンドピースと眼鏡レンズとを止着せしめたツーポイント眼鏡のレンズ止着機構があった（例えば、特許文献２参照。）。この場合、サポート片は、Ｌ字状の係止部分とレンズ側面に当接する当接部分とで構成され、係止部分と当接部分とは合成樹脂で一体的に形成される。このツーポイント眼鏡においても、上記従来技術と同様に、サポート片の係止部分の屈曲部を曲げ調整することにより、眼鏡レンズに形成する止着孔の位置ずれを補正していた。
さらに、従来の技術には、エンドピースの端部に設けた通孔とレンズに設けた止着孔とをボルトとナットとでネジ止めする一方、レンズ側面に対面するエンドピース中間対向部に形成した止着孔へ、突起を一体にもつ嵌脱自在なサポート片を嵌着するツーポイント眼鏡のレンズ止着機構があった。（例えば、特許文献４参照。）。この場合、レンズの止着孔の形成位置が多少ずれたとしても、そのずれに対応する厚みをもつサポート片を交換することによって、止着孔の位置ずれを補正していた。
さらに、従来の技術には、エンドピースの端部に設けた通孔とレンズに設けた止着孔とをボルトとナットとでネジ止めする一方、レンズ側面に対面するエンドピース中間対向部に設けたネジ孔へ止めネジを螺入し、止めネジ先端にてレンズ側面を掛止するツーポイント眼鏡のレンズ止着機構があった。（例えば、特許文献４参照。）。この場合、レンズの止着孔の形成位置がずれたとしても、止めネジの螺入度合いを調節することにより、止着孔の位置ずれを補正していた。
【０００３】
【特許文献１】
登録実用新案第３００９２２３号公報（第８頁、図３）
【特許文献２】
特許第３０１０５５７号公報（第８頁、図２）
【特許文献３】
実用新案登録第３０１１１１６号公報（第５頁、第８頁、図２）
【特許文献４】
実用新案登録第３０１１３７２号公報（第６頁、第９頁、図２）
【０００４】
【発明が解決しようとする課題】
しかしながら、特許文献１に記載された従来の技術では、たとえばリング状線材を曲げ加工することによって、中央に隙間を有するＬ字状に屈曲したアングル枠体を成形してなるサポート片をエンドピースとは別個に準備する必要があるため、製造に手間がかかり、部品点数も多くなる。その上、この従来技術では、エンドピースと組合されるサポート片をその屈曲部において曲げ調整するので、折り曲げ作業自体も難しいものとなっていた。しかも、サポート片が隙間を有する屈曲したアングル枠体により形成されるので、サポート片の当接部分とレンズ側面とが線接触となり、当接面積が比較的少ないものとなる。そのため、サポート片の当接部分とレンズ側面とで未だレンズのガタツキが生じる恐れがあった。
また、特許文献２に記載された従来の技術でも、上記従来技術と同様に、サポート片をエンドピースとは別個に準備する必要があるため、部品点数も多くなる上、エンドピースと組合されるサポート片の屈曲部において曲げ調整するので、折り曲げ作業自体も難しいものとなっていた。さらに、この従来技術では、サポート片に嵌合溝を形成し、且、その嵌合溝に嵌合する突起をエンドピースに形成する必要があるため、製造に手間がかかり、製造コストも高くつく。
さらに、特許文献３に記載された従来の技術では、レンズの止着孔の位置ずれに対応する厚みをもつ特定のサポート片を用意し、その都度、該サポート片と交換しなければならないので、汎用性に欠けるものとなり、しかも、嵌脱作業も手間のかかるものであった。
また、特許文献４に記載された従来の技術では、眼鏡レンズ側面に対面するエンドピースの部位にネジ孔を設ける必要があり、そのネジ孔に螺合される止めネジも別途準備しなければならないので、これまた、製造に手間がかかり、部品点数が多くなる。しかも、この従来技術では、止めネジの螺入度合いによりレンズの止着孔の位置ずれを補正するため、当然、レンズ側面に設けられたネジ孔に螺合される止めネジの螺合長さを短くする場合があり、この場合、レンズとエンドピースとの連結強度が小さくなり、レンズのガタツキが発生する恐れが多分にあった。
【０００５】
それゆえに、本願発明の主たる目的は、レンズ孔の位置ずれによるレンズとレンズ部品とのガタツキを極めて簡単に補修して調整することができる、縁なし眼鏡の補修方法を提供することである。
【０００６】
【課題を解決するための手段】
本願発明は、レンズと、レンズの周縁部近傍に配設され、レンズを貫通するレンズ孔と、レンズ孔と連通可能な取付孔を有し、レンズと智および／またはブリッジとを固定するためのレンズ止め部と、レンズの周縁端面と対向する当接面を有し、その一端部がレンズ止め部と連接され、その他端部が智および／またはブリッジに連接される縁当て片と、レンズのレンズ孔およびレンズ止め部の取付孔に装着され、レンズ止め部と協働して、レンズと智および／またはブリッジとを固定するレンズ止めねじとを含み、レンズ孔が、所定の位置よりも智および／またはブリッジ寄りに偏倚して、レンズ孔が位置ずれしたときの縁なし眼鏡の補修方法であって、位置ずれしたレンズ孔の偏倚量に応じて、縁当て片の当接面の少なくとも一部、および／または、縁当て片と対向するレンズの周縁端面の少なくとも一部に、透明な合成樹脂を塗布して透明な合成樹脂層を形成する工程を含むことを特徴とする、縁なし眼鏡の補修方法である。
本願発明によれば、レンズ孔の位置が所定の位置から偏倚して位置ずれしたとしても、位置ずれしたレンズ孔の偏倚量に応じて、縁当て片の当接面の少なくとも一部、および／または、縁当て片と対向するレンズの周縁端面の少なくとも一部に、透明な合成樹脂を塗布して透明な合成樹脂層を形成する工程によって、縁当て片と、縁当て片と対向するレンズの周縁端面との間に、前記偏倚量に対応した厚みを有する透明な合成樹脂層を形成することができるため、該位置ずれによる不具合を解消することが可能となる。つまり、該合成樹脂層をレンズおよび縁当て片間に介在させることで、レンズと縁当て片との間に、レンズ孔の位置ずれによるレンズのガタツキの要因となる隙間が解消される。
しかも、所定の部位に透明な合成樹脂を塗布するだけでよいので、極めて簡単にレンズ孔の位置ずれを補修して調整することができる。そのため、従来技術と比べて、余分な別部材を必要とすることもなく、部品点数を削減することができるので、補修にかかるコストの低減も図られる。なお、位置ずれしたレンズ孔の偏倚量が大きい場合には、重ね塗り等の方法により、塗布する合成樹脂量を多くすることにより、合成樹脂層の厚みを厚くすればよい。
また、本願発明にかかる補修方法では、合成樹脂層が透明であるので、位置ずれを補修したことが目立つことなく、補修した部位周辺の見栄えも損なうことがない。さらに、本願発明にかかる補修方法では、合成樹脂層が、その弾性により、補修した部位周辺に加わる衝撃等の外力を緩衝・緩和するクッション機能を有するものとなる。
上述の本願発明において、合成樹脂は、縁当て片の当接面の外周縁端よりも外側にはみ出ないように塗布されることが好ましい。この場合、補修した部位周辺の見栄えがより一層よいものとなる。
さらに、本願発明では、合成樹脂が紫外線硬化型樹脂を含むとよい。この場合、所定の部位に塗布された透明な合成樹脂は、紫外線を照射されることにより硬化し、透明な合成樹脂層となる。
【０００７】
本願発明の上述の目的，その他の目的，特徴および利点は、図面を参照して行う以下の発明の実施の形態の詳細な説明から一層明らかとなろう。
【０００８】
【発明の実施の形態】
【実施例】
図１は、本願発明の一実施例を示す斜視図解図である。図２は、図１の線Ａ−Ａにおける拡大断面図解図である。図３は、図２の線Ｂ−Ｂにおける拡大断面図解図である。本実施例では、まず、本願発明にかかる縁なし眼鏡の補修方法が適用され、レンズ孔の位置ずれが補修された縁なし眼鏡の構造について説明する。
【０００９】
本実施例にかかる眼鏡１０は、レンズ１２を含む。レンズ１２には、その周縁部近傍にレンズ１２を貫通するレンズ孔１４が配設される。この場合、レンズ孔１４の形成位置は、たとえば図２，図３に示すように、本来、正規の所定位置に配設されるレンズ孔１３よりも、レンズ１２の周縁端面側寄りに偏倚した位置ずれして形成されたものである。
【００１０】
レンズ１２の一方主面側には、たとえばレンズ止め部１６が配置される。レンズ止め部１６は、図１，図３等に示すように、たとえば智１８とレンズ１２とを固定して止めるものである。智１８には、蝶番部２０を介して、テンプル２２が回動自在に取り付けられる。
【００１１】
レンズ止め部１６は、図１，図３に示すように、長さ方向を有し、レンズ１２の一方主面側に延び設けられるつめ片１６ａと、レンズ１２の周縁端面側に延び設けられる円弧状の屈曲片１６ｂとを含む。つめ片１６ａと屈曲片１６ｂとは連接され、たとえばＬ字状に形成される。つめ片１６ａは、その長手方向の一端部にレンズ孔１４と連通可能な取付孔２４を有し、その長手方向の他端部に屈曲片１６ｂを有する。
【００１２】
屈曲片１６ｂの周方向の端部には、レンズ１２の周縁端面側の形状に沿って緩やかに湾曲した弓形弧状の縁当て片２６が連接して形成される。すなわち、縁当て片２６は、レンズ１２の周縁端面と対向する当接面２６ａを有する。また、縁当て片２６は、その長手方向の略中央で且つその幅方向の一方側端面と、レンズ止め部１６の屈曲片１６ｂとが連接される。さらに、縁当て片２６の長手方向の略中央と智１８とが連接される。
【００１３】
この縁なし眼鏡１０は、レンズ止め部１６の取付孔２４およびレンズ孔１４に挿通・装着され、レンズ止め部１６と協働して、レンズ１２と智１８とを固定・連結するレンズ止めねじ２８をさらに含む。レンズ止めねじ２８には、そのねじ面を備えた軸部２８ａに、レンズ止めナット３０がレンズ１２の他方主面側から螺合される。
【００１４】
この縁なし眼鏡１０では、レンズ孔１４が、図２，図３に示すように、本来のレンズ孔形成位置からレンズ１２の周縁端面側寄りに偏倚して配設されているため、レンズ１２とレンズ止め部１６とを連結・固定する際に、縁当て片２６の当接面２６ａをレンズ１２の周縁端面に当接させても、レンズ止め部１６の取付孔２４とレンズ孔１４とが連通可能とならない。そこで、この縁なし眼鏡１０では、位置ずれしたレンズ孔１４の偏倚量、つまり、レンズ孔１４の孔中心と本来形成されるべきレンズ孔１３の孔中心との間の距離に応じて、たとえば縁当て片２６の当接面２６ａ、および／または、縁当て片２６と対向するレンズ１２の周縁端面に、透明な合成樹脂層３２が配設される。
【００１５】
透明な合成樹脂層３２を縁当て片２６の当接面２６ａとレンズ１２の周縁端面との間に介在させることによって、上記したレンズ孔１４の偏倚量が補正され、レンズ止め部１６の取付孔２４とレンズ孔１４とが連通可能となる。したがって、この状態で、レンズ止めねじ２８およびレンズ止めナット３０により、レンズ１２とレンズ止め部１６とが連結・固定される。
【００１６】
そこで、レンズ孔１４が本来の所定のレンズ孔１３の形成位置よりも智１８側寄りに偏倚して、該レンズ孔１４が位置ずれしたときの縁なし眼鏡の補修方法の一例について、図１，図２および図３を参照しながら説明する。
本実施例の縁なし眼鏡１０の補修方法では、位置ずれしたレンズ孔１４の偏倚量に応じて、縁当て片２６の当接面２６ａの少なくとも一部、および／または、縁当て片２６と対向するレンズ１２の周縁端面の少なくとも一部に、透明な合成樹脂として、たとえば紫外線硬化型樹脂が塗布される［塗布工程］。
すなわち、紫外線硬化型樹脂は、縁当て片２６の当接面２６ａに塗布されてもよく、また、縁当て片２６と対向するレンズ１２の周縁端面に塗布されてもよく、さらに、それらの部位の両方に塗布されてもよい。この場合、レンズ１２とレンズ止め部１６とを連結・固定したときに、紫外線硬化型樹脂が縁当て片２６の当接面の外周縁端よりも外側にはみ出ないように塗布される。
その後、紫外線硬化型樹脂が塗布された部分に紫外線が照射されることによって、縁当て片２６の当接面２６ａとレンズ１２の周縁端面との間に、透明な合成樹脂層が形成される［透明な合成樹脂層形成工程］。なお、紫外線硬化型樹脂に変えて、たとえば熱硬化型樹脂、その他の合成樹脂材料を塗布し、加熱、自然乾燥等の方法により硬化させて、透明な合成樹脂層を形成するようにしてもよい。
【００１７】
本実施例にかかる補修方法によれば、レンズ孔１４の位置が所定の位置から偏倚して位置ずれしたとしても、位置ずれしたレンズ孔１４の偏倚量に応じて、縁当て片２６と、縁当て片２６と対向するレンズ１２の周縁端面との間に、該偏倚量に対応した厚みを有する透明な合成樹脂層３２を形成することができるため、該位置ずれによるレンズ１２のガタツキが解消される。この場合、縁当て片２６の当接面２６ａは、透明な合成樹脂層３２との間に隙間なく密着して当接され、さらに、透明な合成樹脂層３２と、縁当て片２６と対向するレンズ１２の周縁端面との間に隙間なく密着して当接されるため、レンズ１２のガタツキが解消される。
しかも、この補修方法によれば、縁当て片２６の当接面２６ａおよび／または当接面２６ａと対向するレンズ１２の周縁端面に、透明な合成樹脂層を塗布するだけでよいので、別途、別部材を必要とすることもなく、至極容易にレンズ孔１４の位置ずれを補修することができる。この場合、位置ずれしたレンズ孔１４の偏倚量が大きい場合には、重ね塗り等の方法により、塗布する透明な合成樹脂量を多くすることにより、透明な合成樹脂層の厚みを厚くするだけでよい。
そのため、本実施例の補修方法では、従来技術と比べて、部品点数も削減でき、補修にかかる加工組立てコストを低減することができる。また、本実施例の補修方法によれば、合成樹脂層が透明であるので、位置ずれを補修したことが目立つことなく、補修した部位周辺の見栄えも綺麗なものとなる。さらに、透明な合成樹脂層は、その弾性により、補修した部位周辺に加わる衝撃等の外力をやわらげる。
【００１８】
なお、上述の実施例では、レンズ孔１４が所定の位置よりも智１８側寄りに偏倚して位置ずれしたときの縁なし眼鏡の補修方法について説明したが、本願発明にかかる縁なし眼鏡の補修方法は、ブリッジ３４とレンズ１２とを固定する場合にも適用される。すなわち、図１に示すように、ブリッジ３４に連接される縁当て片２６およびレンズ止め部１６と、レンズ１２とにおいて、レンズ孔１４が所定の位置よりもブリッジ３４側寄りに偏倚して位置ずれしたときにも、適宜、適用される補修方法である。
【００１９】
【発明の効果】
本願発明によれば、レンズ孔の位置ずれによるレンズとレンズ部品とのガタツキを極めて簡単に補修して調整することができる、縁なし眼鏡の補修方法が得られる。
【図面の簡単な説明】
【図１】本願発明の一実施例を示す斜視図解図である。
【図２】図１の線Ａ−Ａにおける拡大断面図解図である。
【図３】図２の線Ｂ−Ｂにおける拡大断面図解図である。
【図４】本願発明の背景となる縁なし眼鏡の一例を示す要部分解斜視図である。
【符号の説明】
１０  眼鏡
１２  レンズ
１３  本来形成されるべき正規のレンズ孔
１４  レンズ孔
１６  レンズ止め部
１６ａ    つめ片
１６ｂ  屈曲片
１８  智
２０  蝶番部
２２  テンプル
２４  取付孔
２６  縁当て片
２６ａ  当接面
２８  レンズ止めねじ
３０  レンズ止めナット
３２  透明な合成樹脂層
３４  ブリッジ
【図１】
2004317824.tif 000003
【図２】
2004317824.tif 000004
【図３】
2004317824.tif 000005
【図４】
2004317824.tif 000006